(57)【特許請求の範囲】
【請求項１】
近位端及び遠位端を有するハウジング（１０）、
薬物を収容するように適合されたカートリッジ（１５）、
カートリッジ（１５）を保持するように適合されたカートリッジ保持部材（４５）、ここでカートリッジ保持部材（４５）がハウジング（１０）に固定される、
を含む薬物送達デバイス（５）において、
ばねワッシャー（５０）が、カートリッジ（１５）上に力を働かせ、そしてカートリッジ保持部材（４５）に対する動きに抗してカートリッジ（１５）を固定するように、ハウジング（１０）内に配置され、ハウジング（１０）の近位端に面するカートリッジ（１５）の側上でカートリッジ（１５）に隣接するように配置されることを特徴とする、薬物送達デバイス。
【請求項２】
遠位方向にカートリッジ上で力を働かせるように、ばねワッシャー（５０）が偏らせられる、請求項１に記載の薬物送達デバイス（５）。
【請求項３】
ばねワッシャー（５０）が、ハウジング（１０）に対する軸方向の動きに抗して固定される、請求項１又は２に記載の薬物送達デバイス（５）。
【請求項４】
ピストン棒（３０）が遠位方向に駆動されるときに、薬物送達デバイス（５）が、デバイス（５）から薬物の用量を投薬するためのピストン棒（３０）を含み、そしてばねワッシャー（５０）が開口部（５５）を含み、ピストン棒（３０）が開口部（５５）を通過できるように、開口部（５５）が配置されている、請求項１〜３の何れか１項に記載の薬物送達デバイス（５）。
【請求項５】
ばねワッシャー（５０）が、軸方向及び／又は半径方向に曲がっている、請求項１〜４の何れか１項に記載の薬物送達デバイス（５）。
【請求項６】
ばねワッシャー（５０）が、皿型のばねワッシャーである、請求項１〜５の何れか１項に記載の薬物送達デバイス（５）。
【請求項７】
ばねワッシャー（５０）が、ハウジングのねじ付きのスリーブ部材（６０）に固定されている、請求項１〜６の何れか１項に記載の薬物送達デバイス（５）。
【請求項８】
ばねワッシャー（５０）が、ハウジングに固定されたスリーブ部材（６０）に固定されている、請求項１〜７の何れか１項に記載の薬物送達デバイス（５）。
【請求項９】
更なるワッシャー（７０）を含み、ここで更なるワッシャー（７０）が、ばねワッシャー（５０）の近位側上に配置されている、請求項１〜８の何れか１項に記載の薬物送達デバイス（５）。
【請求項１０】
更なるワッシャー（７０）が、ディスクワッシャー、又は、ばねワッシャー（５０）に比べてより強い力を有する更なるばねワッシャーである、請求項９に記載の薬物送達デバイス（５）。
【請求項１１】
更なるワッシャー（７０）が、ばねワッシャー（５０）の負荷距離を制限するように配置されている、請求項９又は１０に記載の薬物送達デバイス（５）。
【請求項１２】
更なるワッシャー（７０）が、ばねワッシャー（５０）の変形を弾性変形に制限するように配置されている、請求項９〜１１の何れか１項に記載の薬物送達デバイス（５）。
【請求項１３】
ばねワッシャー（５０）の曲率に対応するよう、更なるワッシャー（７０）が軸方向及び／又は半径方向に曲がっている、請求項９〜１２の何れか１項に記載の薬物送達デバイス（５）。
【請求項１４】
薬物送達デバイス（５）のカートリッジ保持部材（４５）中に薬物を含有するカートリッジ（１５）を、カートリッジ保持部材（４５）に対する移動に抗して固定するためであって、薬物送達デバイス（５）のハウジング（１０）の近位端に面するカートリッジ（１５）の側上でカートリッジ（１５）に隣接するように配置されるばねワッシャー（５０）の使用。
【請求項１５】
近位端及び遠位端を有するハウジング（１０）を供し、
薬物を収容するように適合されたカートリッジ（１５）を供し、
カートリッジ（１５）を保持するように適合されたカートリッジ保持部材（４５）を供し、
ばねワッシャー（５０）をハウジング（１０）内に配置することを含む薬物送達デバイスの製造方法において、
カートリッジ保持部材（４５）をハウジング（１０）に固定し、そのことによってカートリッジ（１５）上で力を働かせるように、そしてカートリッジ保持部材（４５）に対する移動に抗してカートリッジ（１５）を固定するように、ばねワッシャー（５０）に負荷をかけ、ここでばねワッシャー（５０）をハウジング（１０）の近位端に面するカートリッジ（１５）の側上でカートリッジ（１５）に隣接するように配置することを特徴とする、薬物送達デバイスの製造方法。
【発明の詳細な説明】
【技術分野】
【０００１】
本発明は、薬物送達デバイス及び薬物送達デバイスの製造方法に関する。薬物送達デバイスは、薬、例えば、インスリン、ヘパリン又は成長ホルモンを投与するために使用される。幾つかのデバイスは複数の用量を送達するために構成されている。加えるに、幾つかのデバイスは、送達されるべき異なる用量サイズの設定を可能ならしめるように構成されている。ここで用量のサイズが正確に設定することができ、そして設定された用量が信頼して送達することができることが重要である。
【背景技術】
【０００２】
特許文献１には、ハウジング挿入物及び駆動エレメントの間に配置されるばねを有するシリンジが示されている。このばねは、注射デバイス中の医療用容器を支えるために、縦方向の許容差に対する補正として働く。
【０００３】
特許文献２には、カップばねとして構築された圧力部材を有するシリンジが示されている。圧力部材は、その自由端を有する液体容器の上方端を圧迫する弾性突起を含む。
【０００４】
更なる薬物送達デバイスが特許文献３及び特許文献４から知られている。
【先行技術文献】
【特許文献】
【０００５】
【特許文献１】米国特許出願第２００７／００２１７１８Ａ１号明細書
【特許文献２】米国特許第３，７４２，９４８号明細書
【特許文献３】国際特許出願ＷＯ第２００５／０３２４４９号明細書
【特許文献４】ドイツ特許出願第１０  ２００４  ０５３５２９Ａ１号明細書
【発明の概要】
【発明が解決しようとする課題】
【０００６】
本発明の目的は、改善された薬物送達デバイスを供することである。特に、用量制御に関する改善された操作性及び／又は異なるカートリッジに関連する用量の改善された再現性を可能ならしめる薬物送達デバイスが供されなければならない。
【課題を解決するための手段】
【０００７】
この目的のために、薬物送達デバイスは以下を含む：近位端及び遠位端を有するハウジング；薬物を収容するように適合されたカートリッジ；カートリッジを保持するように適合されたカートリッジ保持部材、ここでカートリッジ保持部材がハウジングに固定されている；及びカートリッジ上に力を働かせ、そしてカートリッジ保持部材に対する動きに抗して、好ましくは、ハウジングに対する動きに抗してカートリッジを固定するように、ハウジング内に配置されているばねワッシャー。
【発明の効果】
【０００８】
この種の薬物送達デバイスにおいて、ハウジング及び／又はカートリッジ保持部材に対するカートリッジの動きは、カートリッジ上に力を働かせるばねワッシャーのせいで低減され又は避けられさえもする。ばねワッシャーは、カートリッジ及びハウジングの間及び／又はカートリッジ及びカートリッジ保持部材の間の遊びを低減できる。これは、例えば、異なる長さを有するカートリッジが薬物送達デバイスにおいて使用されなければならないときに特に有利である。このようして、薬物送達デバイスは再使用可能なデバイスであり得る。カートリッジの長さにおける製造許容差は、このようにばねワッシャーを用いることによって補正することができる。従って、薬物送達デバイスの操作中に、カートリッジ保持部材中のカートリッジの軸方向の動きが低減され、又は防ぐことさえでき、そして用量の正確性を増大することができる。ばねワッシャーは、カートリッジをカートリッジ保持部材内に、多くのスペースを必要とすることなく固定することを可能なならしめる。従って、非常にコンパクトな薬物送達デバイスを形成することができる。
【０００９】
更なる実施態様において、好ましくは、ハウジングの近位端に面するカートリッジの側上でカートリッジに隣接するように、ばねワッシャーが配置される。
【００１０】
ばねワッシャーは、好ましくは、ハウジングの近位端に面するカートリッジの側上でカートリッジに隣接することによって、カートリッジをカートリッジ保持部材中に固定された状態に保ち得る。従って、カートリッジ保持部材に対するカートリッジの軸方向の動きが低減され又は防止さえされる。
【００１１】
ばねワッシャーは、カートリッジ上に遠位方向に力を働かせ得る。カートリッジ上に力を働かせるように、ばねワッシャーは負荷をかけられ又は偏倚され得る。
【００１２】
更なる実施態様において、ばねワッシャーはハウジングに固定される。特に、ばねワッシャーは、その中にばねワッシャーがハウジングに固定されるその領域において、ばねワッシャー及びハウジングの間の相対的な軸方向の動きを防ぐように、ハウジングに固定され得る。
【００１３】
この実施態様によれば、ばねワッシャーがカートリッジ上に力を働かせるときの対向力が、その軸位置で把持されているばねワッシャーを有するハウジング上に作用する。
【００１４】
一つの実施態様において、薬物送達デバイスは、ピストン棒が遠位方向に駆動されるときに、デバイスから薬物の用量を投薬するためのピストン棒を含み、そしてばねワッシャーは開口部を含み、ここで開口部は、ピストン棒が開口部を通して走ることを可能にするように配置されている。
【００１５】
この例において、ばねワッシャーは、ピストン棒などを利用する従来の薬物送達機構と共に容易に実行することができる。従って、著しい設計変更が実施される必要がない故に薬物送達デバイスの製造性が向上される。
【００１６】
更なる実施態様によれば、ばねワッシャーは軸方向及び／又は半径方向に曲がっている。この軸は、ハウジングの近位端及び遠位端の間に伸び得る。
【００１７】
ばねワッシャーに負荷をかけること及びカートリッジ上に力を働かせることは、このようにばねワッシャーを形づくることによって容易になる。
【００１８】
更なる実施態様において、ばねワッシャーは皿型（Belleville type）のばねワッシャーである。
【００１９】
この種のばねワッシャーは薬物送達デバイス中に容易に提供することができる。
【００２０】
一つの実施態様において、ばねワッシャーはハウジングのスリーブ部材に、好ましくはハウジングのねじ付きのスリーブ部材に固定される。
【００２１】
この実施態様によれば、ばねワッシャーは、ハウジング上の著しい設計変更を実行することなく、薬物送達デバイスの従来のハウジング中に提供され得る。（ねじ付き）スリーブ部材は、例えば、内ねじを用いてカートリッジ保持部材をハウジングに固定するために同時に使用され得る。
【００２２】
一つの実施態様において、薬物送達デバイスは更なるワッシャーを含み、ここで更なるワッシャーはばねワッシャーの近位側上に配置されている。更なるワッシャーは、好ましくは、ばねワッシャーによって隣接され得るように配置される。
【００２３】
一つの実施態様において、更なるワッシャーは、ばねワッシャーの負荷距離を制限するために配置される。
【００２４】
カートリッジの挿入中に、例えば、その中でハウジングに保持されているカートリッジを有するカートリッジ保持部材を（開放可能なように）固定するときに、近位方向の力がばねワッシャー上に働かされ得る。ばねワッシャーが永久塑性変形されることを防ぐために、更なるワッシャーをばねワッシャーの近位側上に配置することができる。更なるワッシャーは、ばねワッシャーが変形され得る分の距離を制限し得る。
【００２５】
一つの実施態様において、更なるワッシャーはディスクワッシャー、又はばねワッシャーである。もし、更なるワッシャーがばねワッシャーであれば、それは、好ましくは、カートリッジ上に力を働かせるばねワッシャーと比べてより強い力を有する。もし、ばねワッシャーに所与の力によって負荷がかけられると、例えば、塑性変形の領域において、ばねワッシャーに過剰な負荷をかけるリスクが、より強いばね力を有する更なるばねワッシャーを供することによって低減することができる。
【００２６】
一つの実施態様において、更なるワッシャーは、ばねワッシャーの変形を弾性変形に制限するように配置されている。この例において、塑性、つまり、非弾性、変形が生じる故に、ばねワッシャーのばね特性を保存することができる。
【００２７】
更なる実施態様によれば、更なるワッシャーは、軸方向及び／又は半径方向に曲がっている。好ましくは、更なるワッシャーの曲率は、ばねワッシャーの曲率に対応するか又は類似している。
【００２８】
この例において、更なるワッシャーの曲率は、軸方向に沿って見たとき、更なるワッシャー及びばねワッシャーが重なるその領域におけるばねワッシャーの曲率に適合され得る。これによって、ばねワッシャー及び更なるワッシャーの円滑な隣接が可能になる。
【００２９】
上記目的のために、薬物送達デバイスの製造方法は以下の工程を含む：近位端及び遠位端を有するハウジングを供すること；薬物を収容するように適合されたカートリッジを供すること；カートリッジを保持するように適合されたカートリッジ保持部材を供すること；ばねワッシャーをハウジング内に配置すること；及びカートリッジ保持部材をハウジングに固定し、そのことによってカートリッジ上で力を働かせるように、そしてカートリッジ保持部材に対する移動に抗して、特に、軸方向の移動に抗して、カートリッジを固定するように、ばねワッシャーに負荷をかけること。
【００３０】
上記目的のために、ばねワッシャーは、薬物送達デバイスのカートリッジ保持部材中に薬物を含有するカートリッジを、カートリッジ保持部材に対する移動に抗して、好ましくは、軸方向の移動に抗して固定するために使用される。
【００３１】
他の特徴は、添付図面と関連付けて考慮されたとき、以下の詳細な記述から明らかになるであろう。
【図面の簡単な説明】
【００３２】
【図１】実施態様に記載の薬物送達デバイスの簡略化された断面側面図を模式的に示す。
【図２】実施態様に記載の薬物送達デバイスの展開斜視図を模式的に示す。
【図３】実施態様に記載の薬物送達デバイスの一部の詳細な断面側面図を模式的に示す。
【図４】実施態様に記載の薬物送達デバイスの一部の詳細な断面側面図を模式的に示す。
【図５】実施態様に記載のばねワッシャーの側面図を模式的に示す。
【図６】実施態様に記載の更なるワッシャーの側面図を模式的に示す。
【発明を実施するための形態】
【００３３】
図１において、液体薬物用の注射器である薬物送達デバイス５の実施態様が示されている。薬物送達デバイスは複数の、好ましくは、使用者が設定できる薬物の用量を送達するために構成され得る。薬物送達デバイスはペン型デバイスであり得る。薬物送達デバイス５は、ハウジング１０を含み、ここで医薬製品（薬物）を含有するカートリッジ１５が位置している。ニードルユニット２０は薬物送達デバイス５の遠位端２５に位置している。ニードルユニット２０はハウジングに対する動きに抗して固定され得る。ニードルユニット２０を通して医薬製品を患者内に注射することができる。
【００３４】
なお、図１において示される通り、薬物送達デバイス５の記述は一例に過ぎない。
【００３５】
図１において示される通りの薬物送達デバイスは更に、ハウジング１０に（開放可能なように）固定されているカートリッジ保持部材４５を含む。カートリッジ保持部材４５は、薬物送達デバイス５内にカートリッジ１５を保持するように適合されている。カートリッジ保持部材４５は、カートリッジ１５が、それが空になってしまった後、使用者によって交換することができるように構成することができる。
【００３６】
医薬製品の送達は、カートリッジ１５に対して遠位方向内に動かすことができるピストン棒３０などを用いて実行することができる。カートリッジ中に保持され、そしてカートリッジを近位端側上で密閉する（はっきりとは示されていない）ピストンは、カートリッジに対して遠位方向にピストン棒によって動かされ得る。動いているピストンのせいで、医薬製品の用量がカートリッジから送達され得る。ピストン棒３０は（リードねじ）ナット３５にねじで係合され得る。デバイスの操作中に、ナット３５は、ナット３５と係合し得るロックナット３６（図２及び４を参照）によってハウジング１０に対する回転運動に抗して固定される。従って、ピストン棒は、遠位方向に駆動されるときに、ハウジング１０に対して回転及び移動し得る。ロックナット３６及びナット３５は、カートリッジ保持部材４５がハウジング１０に固定される間、係合状態に把握され得る。カートリッジ保持部材がハウジング１０から開放されるとき、ナット３５及びロックナット３６はそれによって係合を解き得て、ハウジング１０に対してナット３５の回転が可能になる。例えば、新しくかつ未使用のカートリッジをハウジングに固定する前に、デバイスをリセットするために、次いでピストン棒３０はナット３５及びロックナット３６の係合のせいで、そのような動きが防がれることなく、その最初の位置内にねじ戻すことができる。こうして、デバイスのリセットが容易にされる。
【００３７】
更に、ピストン棒３０は（はっきりとは示されていない）駆動機構、例えば、機械的な又は電気的な駆動機構に、そして（はっきりとは示されていない）用量設定機構に都合よく結合されている。駆動機構及び用量設定機構は、医薬製品の用量を設定するために、そして薬物送達デバイスの投薬ボタン４０が押されるとき、設定された用量がカートリッジから投薬されるように、ピストンを遠位方向に動かすために構築されている。
【００３８】
カートリッジ１５がカートリッジ保持部材４５内に挿入され、そしてカートリッジ保持部材４５がハウジングに固定されると、遠位方向へのカートリッジ１５の動きがカートリッジ保持部材４５によって防がれる。カートリッジ１５はカートリッジ保持部材と遠位で隣接し得る。
【００３９】
カートリッジ１５の近位側上に、ばねワッシャー５０が、ハウジング１０内に配置されている。ばねワッシャー５０は遠位方向にカートリッジ１５上に力を働かせ、そしてカートリッジ保持部材４５対する動きに抗して、及びハウジング１０に対する動きに抗してカートリッジ１５を固定する。負荷をかけられたばねワッシャーは、カートリッジ１５の遠位端側上に永久隣接してカートリッジ及びカートリッジ保持部材を把握し得る。図１において示される通り、ばねワッシャー５０は、ハウジング１０の近位端６５に面するカートリッジの側上でカートリッジ１５に隣接して配置されている。更にばねワッシャー５０は、ピストン棒３０がばねワッシャー５０を通過すること、及びカートリッジ１５からの医薬製品の送達を駆動することを可能にするように、開口部５５を含む。
【００４０】
カートリッジ１５上に力を働かせることを可能にするために、ばねワッシャー５０はハウジング１０に固定されている。薬物送達デバイス５の容易な製造を可能にするために、（ねじが付けられた）スリーブ部材６０を供することができる。ばねワッシャーは、スリーブ部材６０に、例えば、ばねワッシャーの固定エレメント５２によって固定され得る。固定エレメント５２は軸方向に伸び得る。ばねワッシャーはスリーブ部材の外表面上でスリーブ部材６０に固定され得る。スリーブ部材はハウジングに固定されている。ばねワッシャー５０は、例えばスナップフィットによってスリーブ部材６０に固定され得る。スリーブ部材６０及び／又はばねワッシャー５０は、ハウジングに対する回転及び／又は軸方向の動きに抗して都合よく固定される。勿論、ばねワッシャーに負荷をかけるための、又はばねワッシャーを緩める最中のばねワッシャー５０の軸方向の動きは許容される。しかしながら、ばねワッシャー５０がハウジング１０に固定される領域、例えば固定エレメント５２は、好ましくは、薬物送達デバイスの操作中に回転せず及び／又は軸方向に動かない。
【００４１】
ばねワッシャー５０には一つの又は複数の位置合わせエレメントが備わり得る。各々の位置合わせエレメントは、ばねワッシャー５０をハウジング１０に対する定められた方向に、好ましくは、所定の角度の方向に保つために働き得る。例えば、固定エレメント５２は位置合わせエレメントとして働き得る。各置合わせエレメントは、ハウジングと、又はばねワッシャー５０を所定の方向に保つために軸方向に及び回転方向にハウジングにロックされたエレメントと協調し得る。
【００４２】
位置合わせエレメント／固定エレメントの各々は軸方向に向けられ得る。位置合わせエレメント／固定エレメントの各々は、ばねワッシャーの外周から伸び得る。二つの位置合わせエレメント／固定エレメントは反対方向に配列され得る。例えば、位置合わせエレメント／固定エレメントは、（はっきりとは示されていない）各誘導スロット内に配置され及び／又は軸方向に誘導されて配置され得る。誘導スロットは、ハウジングに軸方向に及び／又は回転方向に固定され得る。誘導スロットは、ばねワッシャー５０のハウジング１０に対する軸方向の動きが制約され得るように、好ましくは遠位で及び／又は近位で、軸方向に制限され得る。スロット内で走る位置合わせエレメント／固定エレメントと協調状態にある誘導スロットは、ハウジング１０に対してばねワッシャー５０を回転方向にロックし得る。
【００４３】
ハウジングに対して回転方向にロックされるように螺旋圧力ばねを具体化する（embodying）ことは、螺旋圧力ばねが通常、外力の影響下で、特に角度方向にかなり変形される故に、ばねワッシャーに対する場合よりも著しくより困難であろう。ばねワッシャーは、かなりの力の影響下でさえ、角度方向にその形を保ち得る。位置合わせエレメント／固定エレメントに従って供されるばねワッシャーを適用するときに、正確に整列された部品を有する薬物送達デバイスの提供が容易になる。
【００４４】
カートリッジ保持部材４５は、スリーブ部材６０及びカートリッジ保持部材４５の間に供されたねじ付き接合を介してハウジング１０に固定することができる。スリーブ部材６０は、好ましくはこの目的のために内ねじを備えている。
【００４５】
遠位方向にカートリッジ１５上に力を働かせることは、カートリッジを有するカートリッジ保持部材４５が、例えば、カートリッジ保持具をスリーブ部材内にねじ込むことによってハウジング１０に搭載されるときに、近位方向にばねワッシャー５０に負荷をかけることによって実行することができる。そのようにして、カートリッジがばねワッシャー５０に隣接して動き、そしてばねワッシャー５０が近位方向にカートリッジと共に更に動かされるときに、ばねワッシャーは負荷をかけられ、そして遠位方向にカートリッジ上に力を働かせる。
【００４６】
図１において描かれた実施態様の薬物送達デバイス５は、ハウジング１０に対して及びカートリッジ保持部材４５に対してカートリッジ１５の軸方向の動きを排除する。これは、例えば、異なる長さを有するカートリッジ１５が薬物送達デバイス５中で使用されるときに有利である。例えば、異なるカートリッジの間の製造許容差から生じ得る、又は異なるカートリッジタイプの性質であり得る、例えば、０．２及び２ｍｍの間の長さの違いを、ばねワッシャーを適用することによって補正することが可能である。従って、薬物送達デバイス５の操作中に、カートリッジ保持部材４５中のカートリッジ１５の軸方向の動きが防がれ、そして薬物送達の正確さが改善される。
【００４７】
なお、ハウジング１０内のその位置に関して、ばねワッシャー５０の異なる構成が、カートリッジの軸方向の動きを防ぐために使用することができる。例えば、カートリッジ保持部材４５に又は直接ハウジング１０に、ばねワッシャー５０を固定することも可能である。
【００４８】
ばねワッシャーが弾性変形の範囲内に保たれるのを確実にするために、更なるワッシャー７０がばねワッシャー５０の近位側上に配置することができる。更なるワッシャー７０は、ディスクワッシャー、又はばねワッシャーに比べてより強い力を有する更なるばねワッシャーであってよい。
【００４９】
更なるワッシャー７０は、ばねワッシャー５０が塑性的に変形されないようにばねワッシャー５０の動きを制限する。このようにして、緩和された、つまり、負荷を外されたばねワッシャー５０の幾何寸法、そして特に、そのばね強さは一定に留まる。図１において示される通り、更なるワッシャーはディスク状に形づくることができる。しかしながら、更なるワッシャーが、ばねワッシャー５０の曲率に対応する曲率を有することも考えられる。
【００５０】
ばねワッシャーは金属を含み得て又は金属で作られ得る。各々のばねワッシャーは、例えば、鋼材で作られ得る。ばねワッシャー５０は、好ましくは、更なるばねワッシャー７０のばね定数Ｄより小さいばね定数Ｄを有する。
【００５１】
好ましくは、更なるワッシャー７０は、ハウジング１０に対する回転運動に抗して固定される。更なるワッシャーは、軸方向の動きに抗してハウジングに固定される必要はない。むしろ、ばねワッシャー５０は、更なるワッシャーの遠位での動きを制限し得る。（はっきりとは示されていない）隣接エレメントは、更なるワッシャーのハウジングに対する近位での動きを制限し得る。しかしながら、更なるワッシャー７０の軸方向の動きは、ばねワッシャー５０が更なるワッシャー７０に隣接することを、そしてばねワッシャーが塑性的に変形する前に、更なるワッシャーがハウジング１０に隣接することを可能にするように、好都合に制限される。
【００５２】
ここで、図１の実施態様を、図２を参照して更に説明する。図２は、部品がハウジング１０内に挿入される前の側面図における薬物送達デバイス５の幾つかの部品を示す薬物送達デバイス５の展開図である。図２において、ばねワッシャー５０を把持するための把持手段６２を有する（ねじ付きの）スリーブ部材６０が示されている。例えば、各々の把持手段６２と相互作用している各々の固定エレメント５２によって、ばねワッシャー５０をスリーブ部材６０に固定するために、ばねワッシャー５０は、例えば、フック形状の二つの固定エレメント５２を有する。
【００５３】
更に、図２において、（リードねじ）ナット３５及びロックナット３６が示されている。更なるワッシャー７０は、ハウジング１０に対する回転方向及び／又は軸方向の動きに抗して更なるワッシャーを固定するために、固定部材７２も含む。図２において示されるエレメントはハウジング１０内にぴったり合う。スリーブ部材６０は、例えば、ハウジング１０にレーザー溶接され得る。図２から直ぐに明白なように、ばねワッシャー５０は、それほど多くのスペースを必要とせずに、ハウジング１０に対してそしてカートリッジ保持器内で、カートリッジ１５の固定を可能にする。特に、ばねワッシャー５０は、同じばね強さの螺旋コイルバネよりもはるかに多くスペースを節約できる。従って、非常にコンパクトな薬物送達デバイス５を形成することができる。
【００５４】
図３を参照すると、薬物送達デバイス５の更なる実施態様が示されている。図３は、ばねワッシャー５０及び更なるワッシャー７０の詳細図を示す。図３において示される通り、更なるワッシャー７０はディスク形状をしたワッシャーとして構成することができる。
【００５５】
ここで図４を参照すると、更なる実施態様が示されている。この実施態様によると、更なるワッシャー７０はばねワッシャーとしても形成される。更なるワッシャー７０は、ばねワッシャー５０の曲率に対応する又は類似するように、軸方向及び／又は半径方向に曲がっている。
【００５６】
図５において、ばねワッシャー５０の詳細図が示されている。ばねワッシャー５０は、軸方向に及び／又は半径方向に曲がっており、そして固定エレメント５２を含む。固定エレメント５２は互いに対して反対に配置され得る。ばねワッシャーは皿型のばねワッシャーであってよい。
【００５７】
ここで図６を参照すると、更なるワッシャー７０がより詳細に示されている。更なるワッシャー７０は、二つの反対側上に配置された固定部材７２を有するディスク状ワッシャーとして供される。
【００５８】
薬物送達デバイス５の製造方法は、次の工程を含む：近位端及び遠位端を有するハウジングを供すること；薬物を収容するように適合されたカートリッジを供すること；カートリッジを保持するように適合されたカートリッジ保持部材を供すること；ばねワッシャーをハウジング内に配置すること；及びカートリッジ保持部材をハウジングに固定し、そのことによってカートリッジ上で力を働かせるように、そしてカートリッジ保持部材に対する移動に抗して、特に、軸方向の移動に抗してカートリッジを固定するように、ばねワッシャーに負荷をかけること。
【００５９】
他の実行例も以下の請求の範囲の範囲内にある。本明細書において具体的に述べられていない実行例を形成するために、異なる実行例のエレメントが組み合わされ得る。
【符号の説明】
【００６０】
５    薬物送達デバイス
１０  ハウジング
１５  カートリッジ
２０  ニードルユニット
２５  遠位端
３０  ピストン棒
３５  ナット
３６  ロックナット
４０  投薬ボタン
４５  カートリッジ保持部材
５０  ばねワッシャー
５２  固定エレメント
５５  開口部
６０  スリーブ部材
６２  把持手段
６５  近位端
７０  更なるワッシャー
７２  固定部材
【図１】
0005777518.tif 000002
【図２】
0005777518.tif 000003
【図３】
0005777518.tif 000004
【図４】
0005777518.tif 000005
【図５】
0005777518.tif 000006
【図６】
0005777518.tif 000007